(57)【要約】【課題】従来の搬送板が移動し、底板の周囲を上下に回転するものでは、当然であるが、被搬送物は底板の先端部から落下する。その先端部は進行方向に対して直角に裁断又は曲げ加工されている。よってどうしても一度に落下することを防止できない。即ち、上記した通常のベルトコンベアのある種の欠点を解消することはできないのである。【解決手段】固定された底板上の被搬送物を押圧具によって押圧し、底板の端部から落下させる装置であって、該底板の落下端部が押圧具の進行方向に対して傾斜状に構成されたもの。【選択図】  図２
2007197130.tif 000002
【特許請求の範囲】
【請求項１】
固定された底板上の被搬送物を押圧具によって押圧し、底板の端部から落下させる装置であって、該底板の落下端部が押圧具の進行方向に対して傾斜状に構成されていることを特徴とする物質搬送装置。
【請求項２】
該傾斜状の形状は、単なる斜線状である請求項１記載の物質搬送装置。
【請求項３】
該傾斜状の形状は、Ｖ字状である請求項１記載の物質搬送装置。
【請求項４】
該傾斜状の形状は、階段状である請求項１記載の物質搬送装置。
【請求項５】
該傾斜状の手前上方に被搬送物を裁断する裁断具が設けられているものである請求項１〜４記載の物質搬送装置。
【請求項６】
該装置は、ホッパー、底板、移動枠体及び該移動枠体に所定間隔を置いて移動方向とほぼ直角に設けられた搬送板とから成り、該移動枠体は該底板の上下を周回し、且つ該底板は固定式のものにおいて、該移動枠体の回転軸の内側で底板から被搬送物が落下できるようにしたものである請求項１〜５記載の物質搬送装置。
【発明の詳細な説明】
【技術分野】
【０００１】
本発明は、物質搬送装置に関するものである。
【背景技術】
【０００２】
ここでいう物質とは、一般には砂のような粉粒物、土壌、粘土のような粘性物質、小石や岩の破砕物のようなもの等であり特に限定するものではない。
従来の装置について粘性のある土壌を例にとって説明する。
従来の土壌の搬送装置で最もよく使用されているものはベルトコンベアである。ベルトの一端に被搬送物を載置すれば他端に搬送できる。
【０００３】
しかし、このようなベルトコンベアでは、少し粘性があると、上部のホッパーの落下に抵抗があると、ベルトと被搬送物間で滑りが生じ、所定の量を搬送することができない。また、先頭部分が落下しかけると、粘性があるためそれに続く部分も一度に一塊となって落下することがある。
【０００４】
土壌の場合、その物性を改良するため固化材や他の土壌その他のものと混合することが多い。このような場合、連続的に一定量混合しようとすると、混合部分に一定量導入するか、変動してもそれが検知できなければならない。上記のようになかなか落下しなかったり、突然一塊となって落下しては一定量の混合はできない。
【０００５】
そこで、ベルトコンベアのようなものでなく、底部は移動せず、押圧具によって被搬送物を押圧して所定位置に落下させるものもある。例えば、本出願人が考案し特許出願（特許文献１）もしているものがある。
この特許文献１の装置は、底板、移動枠体及び該移動枠体に所定間隔を置いて移動方向とほぼ直角に設けられた搬送板とから成り、該移動枠体は該底板の上下を周回し、且つ該底板は固定式のものである。搬送板によって、被搬送物を押すため、確実に搬送できる。また、サイドに移動枠体があるため、横に被搬送物が落下することも少ない。よって、ほとんど問題はなくたった。
【特許文献１】特開平１０−０６７４１５号
【発明の開示】
【発明が解決しようとする課題】
【０００６】
この従来例では、搬送板が移動し、底板の周囲を上下に回転する。よって、当然であるが、被搬送物は底板の先端部から落下する。その先端部は進行方向に対して直角に裁断又は曲げ加工されている。よってどうしても一度に落下することを防止できない。即ち、上記した通常のベルトコンベアのある種の欠点を解消することはできないのである。
【課題を解決するための手段】
【０００７】
以上のような状況に鑑み、本発明者は鋭意研究の結果本発明物質搬送装置を完成させたものであり、その特徴とするところは、固定された底板上の被搬送物を押圧具によって押圧し、底板の端部から落下させる装置であって、該底板の落下端部が押圧具の進行方向に対して傾斜状に構成されている点にある。
【０００８】
底板とは、被搬送物（粘稠物等）がその上を滑って移動するもので、従来のベルトコンベアではベルト自体が移動して被搬送物を移送するが、本発明では被搬送物が載っている基盤が動かない。この底板は、金属やプラスチック等でよく特別なものである必要はない。この底板は、進行方向に平行な側面には壁面を設けてもよい。
【０００９】
押圧具とは、被搬送物を押して移動させるものである。回転によって連続的に移動するものでも、ピストン等によって往復動するものでもよい。押圧する部分の形状としては、単なる板状、湾曲形状、その他どのようなものでもよい。
【００１０】
底板の落下端部とは、底板から被搬送物が落下する端部であり本発明の最も重要な部分である。この端部は底板を切断、湾曲等の処理によって被搬送物が落下するように形成している。
この端部が押圧具の進行方向に対して傾斜状に構成されている。傾斜状は、直線状でも曲線状でもよく、またＶ字状やＷ字状のように一様でなき形状でもよい。また、階段状やランダムな形状でもよい。要するに、押圧具の進行方向と直角にまっすぐ切った形状でなければよい。
【００１１】
この先端部に他の部材を設けて傾斜状という形状を可変にしてもよい。例えば、底板の先端部にスライド可能又は取り替え可能な別部材を設けて、その別部材の位置によって傾斜の角度や状態を変えるようにしてもよい。
【００１２】
更に、この端部の直前上方に被搬送物を裁断する裁断具を設けてもよい。被搬送物が粘土のような場合、底板が少々傾斜状であってもどうしても塊として落下することがある。これを防止するために設けるのがこの裁断具である。ここでいう裁断具は、押圧具の進行を妨げないように押圧具の高さより上方に設ける。即ち、土等の塊をすべて裁断するのではなく、押圧具の高さより上方だけを裁断するのである。押圧具が高く裁断具の長さ（上下長さ）が短いと被搬送物の搬送はよいが、裁断が十分でない、逆に押圧具が低く裁断具の長さが長いと、裁断は十分であるが搬送が悪い。よって、その程度を調整して押圧具の高さと裁断具の長さを決めればよい。
【００１３】
この裁断具の形状としては、板が簡単である。即ち、底板端部に適当な幅（限定はしないが、１〜１０ｃｍ程度）の板を１枚ないし複数枚上方から垂れ下がるように設ければよい。裁断具の形状としては板状に限らず、円柱状、パイプ等粘土を切断できるものであればよい。細いものの場合、一旦切れても再度密着することがあるため進行方向にも多数並べてもよい。
【００１４】
この裁断具は取り外し可能にするのがよい。即ち、上方で固定するのであるが、その固定法がネジ、ボルト等による固定法にするのである。よって、固定個所は多数設けて、その全部又は１部に裁断具を設けるのである。被搬送物の種類や含まれる石等のサイズによって、裁断具の数を調整することができる。
【００１５】
この本発明をホッパー、底板、移動枠体及び該移動枠体に所定間隔を置いて移動方向とほぼ直角に設けられた回転押圧具とから成り、該移動枠体は該底板の上下を周回し、且つ該底板は固定式のものである搬送装置に応用してもよい。
【００１６】
ここでホッパーとは、被搬送物を一旦貯蔵する部分であり、回転押圧具により被搬送物がほぼ一定量送出されるが、その時に本装置にその一定量以上に導入した時にクッションタンクとして量の変動を吸収するためのものである。これは、上部が単なる開口であり、下方は回転押圧具で押圧搬送されるエリアに被搬送物を落下させるよう開口したものである。
【００１７】
移動枠体とは、底板の上下方向の周囲を回転移動するものでチェーンコンベアの周囲部のようなものである。これは、梯子状のものであっても、それが上下に二重になったようなものでも、また左右方向には壁面（底板に設けられている場合には不要）があってもよい。基本的には被搬送物が上方から底板に落下することを妨げず、回転移動できればよいのである。
【００１８】
回転押圧具は、その移動によって被搬送物を移送するもので、移動枠体に固定されて移動枠体の移動に従って被搬送物をその移動方向に押圧移送するものである。これは、単なる板であり特別な形状である必要はない。これは、移動枠体の進行方向とほぼ直角に所定間隔を置いて固定されている。
【００１９】
上記の装置において、移動枠体の回転軸の内側（外側でもよいが）で底板から被搬送物が落下できるよう該底板を成型してもよい。これは、底板が先端部分全幅で届いていることがなく、その途中に落下部分があるということである。即ち、回転押圧具を駆動しているチェーンのスプロケット（回転軸）よりも内側で被搬送物が落下できるように底板を成型しているということである。
【発明の効果】
【００２０】
以上詳細に説明した本発明では、次のような大きな効果がある。
（１）  底板の落下部分が傾斜状に構成されているため、粘土質のようなものでも徐々に落下する。また、大きな塊で落下する可能性が少ない。
（２）  傾斜の形状を変化させることによって被搬送物の変化に容易に対応できる。
（３）  裁断具を設けたものでは、粘土状の土壌でもカットされ、且つ底板が傾斜状であるため、一塊で落下する可能性は少ない。
【発明を実施するための最良の形態】
【００２１】
以下実施例に基づいて、本発明をより詳細に説明する。
【実施例１】
【００２２】
以下図面に示す実施の形態により本発明をより詳細に説明する。
図１は、本発明に使用する底板１の先端部を示す平面図である。矢印は被搬送物の移送方向である。（ａ）は直線状の傾斜タイプ、（ｂ）はＶ字タイプ、（ｃ）は階段状のもの、（ｄ）は湾曲タイプである。
これらは、本発明でいう「傾斜状」の１例である。
【００２３】
図２は、本発明装置２の１例を示す概略斜視図である。被搬送物（土壌等）がその上を移動する底板１、被搬送物を押して移動させる回転押圧具３、この回転押圧具３が固定され回転軸４によって回転するチェーン５が見えている。このチェーン５の一部が移動枠体となっている。底板１は固定されている。ここで底板１の先端部６は、傾斜状に裁断されている。これが本発明の特徴部分である。
【００２４】
この図には被搬送物は記載されていないが、回転押圧具３の前部に位置する被搬送物が回転押圧具３の移動に従って、前方に押し出される。そして、最先端部に来ると、底板がなくなり、落下することとなる。先端部６が傾斜状であるため粘土質であっても一塊で落下しにくい。
【００２５】
図３は、底板の傾斜状の先端部上方に裁断具７を設けた例であり、（ａ）は側面図である。ここでは、裁断具７として矩形の板が設けられている。この板７の下端部は回転押圧具３の邪魔にならないような位置になっている。
このように押圧具３の高さが低くても、その何倍もの高さの土壌などを押圧することができるため、裁断具が有効となる。図３（ｂ）は、（ａ）の概略平面図である。
【００２６】
図４は、裁断具７の位置の例である。（ａ）は先端部に並べたもので。（ｂ）は平行部に設けて少し斜めにしたもの、（ｃ）は逆に斜めにしたものである。
このように裁断具はどのような位置でもどのような角度でもよい。
【図面の簡単な説明】
【００２７】
【図１】本発明に使用する底板の先端部を示す平面図である。
【図２】本発明装置の１例を示す概略斜視図である。
【図３】底板の傾斜状の先端部上方に裁断具を設けた例であり、（ａ）は側面図、（ｂ）は概略平面図である。
【図４】裁断具の位置を示す概略平面図である。
【符号の説明】
【００２８】
１  底板
２  本発明装置
３  回転押圧具
４  回転軸
５  チェーン
６  先端部
７  裁断具
【図１】
2007197130.tif 000003
【図２】
2007197130.tif 000004
【図３】
2007197130.tif 000005
【図４】
2007197130.tif 000006